(57)【特許請求の範囲】
【請求項１】
電子内視鏡のケーブルの端部に設けられ、電子内視鏡側連結部が光源装置又はプロセッサ装置側の連結部に接続される電子内視鏡用コネクタ装置において、
上記電子内視鏡側連結部が前方に配置され、後方のケース体取付け面にその外周に沿って環状に取付け溝が形成された基部と、
この基部の上記ケース体取付け面側に開口部を設けながら、内部に各種部材の収納空間が形成され、上記開口部の周囲には上記基部の取付け溝に嵌合する環状の嵌合突起が形成され、この嵌合突起を上記取付け溝に嵌合させることにより基部に合体するケース体と、
上記基部の環状取付け溝の内周壁に上記ケース体取付け面まで達するように形成されたＯリング溝と、
このＯリング溝に配置されたＯリングを上記ケース体取付け面側から押えるための押え板とを設け、
上記基部の環状取付け溝の外周壁は上記Ｏリングに対向する位置の高さとし、
上記環状嵌合突起を上記環状取付け溝に嵌合させ、かつこの環状嵌合突起の内周面を上記Ｏリングに接触させることにより気密を確保することを特徴とする電子内視鏡用コネクタ装置。
【請求項２】
上記基部には上記取付け面から突出させて合成樹脂製の棒状突起を一体形成し、この棒状突起を上記押え板の固定孔に挿入した後に熱カシメしたことを特徴とする上記第１請求項記載の電子内視鏡用コネクタ装置。
【発明の詳細な説明】
【０００１】
【発明の属する技術分野】
本発明は、スコープとしての電子内視鏡を光源装置やプロセッサ装置に接続するためのコネクタ装置の気密構造に関する。
【０００２】
【従来の技術】
図６には、電子内視鏡装置の全体構成が示されており、スコープである電子内視鏡１の先端部１Ａには、固体撮像素子であるＣＣＤが設けられる。そして、この電子内視鏡１では、先端部１ＡまでＣＣＤを駆動してビデオ信号を得るための信号線が配置されると共に、観察のための光を供給するためのライトガイドが配設される。また、図示されるように、電子内視鏡１の操作部１Ｂからケーブル２がコネクタ装置３まで設けられており、このコネクタ装置３が光源装置４に接続される。また、コネクタ装置３には、ケーブル５がコネクタ６まで設けられ、このコネクタ６がプロセッサ装置７へ接続される。
【０００３】
そうして、上記ライトガイドはケーブル２内に配置され、コネクタ装置３を介して光源装置４へ接続されており、これによって光源装置４から出力された光が先端部１Ａまで伝送される。また、上記信号線は上記ケーブル２からコネクタ装置３内を通って、ケーブル５内に配置され、コネクタ６を介してプロセッサ装置７へ接続されており、これによってビデオ信号をプロセッサ装置７へ出力することができる。また、上記コネクタ装置３内には、先端部１Ａに配置されたＣＣＤを個々の電子内視鏡１に適合した制御により駆動するための回路等も収納されており、このコネクタ装置３は、ライトガイド及び信号線の接続・配置だけでなく、回路部材を収納する役目もすることになる。
【０００４】
【発明が解決しようとする課題】
ところで、上記の電子内視鏡用コネクタ装置では、気密構造が採用されている。図７には、上記コネクタ装置３のケースが示されており、このコネクタ装置３は、直方体に近似する形状において一番広い面積となる側面に開口部を有するケース体３Ａと蓋３Ｂにより構成される。そして、このケース体３Ａの開口部の周囲に、Ｏリング８が配置されており、この開口部のネジ孔９及び上記蓋３Ｂの取付け孔１０を介して、この蓋３Ｂをネジ締め固定するようになっている。
【０００５】
しかしながら、上記のケース体３Ａでは、側面開口部に蓋３Ｂを載せる構造であるため、気密がとり難く、ネジの取付け具合によって気密状態を維持できなくなることが生じるという問題があった。また、一番広い面積の側面に蓋３Ｂを取り付ける構造のため、ケース体３Ａと蓋３Ｂとの結合の外周距離が長くなるので、気密がとり難いということもある。
【０００６】
本発明は上記問題点に鑑みてなされたものであり、その目的は、気密構造を容易かつ確実に採ることができる電子内視鏡用コネクタ装置を提供することにある。
【０００７】
【課題を解決するための手段】
上記目的を達成するために、第１請求項記載の発明は、電子内視鏡のケーブルの端部に設けられ、電子内視鏡側連結部が光源装置又はプロセッサ装置側の連結部に接続される電子内視鏡用コネクタ装置において、上記電子内視鏡側連結部が前方に配置され、後方のケース体取付け面にその外周に沿って環状に取付け溝が形成された基部と、この基部の上記ケース体取付け面側に開口部を設けながら、内部に各種部材の収納空間が形成され、上記開口部の周囲には上記基部の取付け溝に嵌合する環状の嵌合突起が形成され、この嵌合突起を上記取付け溝に嵌合させることにより基部に合体するケース体と、上記基部の環状取付け溝の内周壁に上記ケース体取付け面まで達するように形成されたＯリング溝と、このＯリング溝に配置されたＯリングを上記ケース体取付け面側から押えるための押え板とを設け、上記基部の環状取付け溝の外周壁は上記Ｏリングに対向する位置の高さとし、上記環状嵌合突起を上記環状取付け溝に嵌合させ、かつこの環状嵌合突起の内周面を上記Ｏリングに接触させることにより気密を確保することを特徴とする。
第２請求項記載の発明は、上記基部には上記取付け面から突出させて合成樹脂製の棒状突起を一体形成し、この棒状突起を上記押え板の固定孔に挿入した後に熱カシメしたことを特徴とする。
【０００８】
作用
上記の構成によれば、ケース体の開口部を基部側としながら、この基部とケース体を環状の取付け溝と環状の嵌合突起の嵌合により合体したので、コネクタ装置の気密がとり易くなる。また、基部の取付け面まで達する溝にＯリングが配置され、このＯリングを押え板により押える構成としたことにより、上記取付け溝の外周壁をＯリングの上側まで設けることができるので、Ｏリングの気密作用を良好に機能させて、確実な気密がとれるという利点がある。
【０００９】
また、上記押え板は熱カシメにより取付け面に固定することができ、この場合は、押え板をネジ固定する場合等と比較すると、押え板、引いてはＯリングを確実に基部に取り付けることができ、気密状態の確保が確実となる。
【００１０】
【発明の実施の形態】
図１〜図５には、本発明の実施形態に係る電子内視鏡用コネクタ装置が示されており、図１は基部とケース体の合体部を示す図、図２は基部の取付け面を示す図、図３はコネクタ装置の全体図、図４は組立てたコネクタ装置の内部を示す図であり、まず、図３及び図４によりコネクタ装置の全体構成を説明する。図において、合成樹脂製の基部１２（前方）に光源装置側のコネクタ受け部に接続するための連結部（嵌合部）１３が設けられ、この連結部１３から突出するようにライトガイド端１４Ａが配置される。この基部１２における連結部１３と反対側（後方）のケーブル配置側の取付け面Ｓに、図示のような本体フレーム１６が３点で支持されるように、ネジ１７及びナット１８で取り付けられる。即ち、この本体フレーム１６は図３の手前下側の支持部が省かれている。
【００１１】
この本体フレーム１６の後側には、図３に示されるように、２本のケーブル内筒２０，２１を接続した取付け用リング２２，２３が取り付けられており、このリング２２，２３にはそれぞれに雄ネジ部ＮＡ  が形成される。そして、この本体フレーム１６を覆う大きさの合成樹脂製のケース体２６が備えられており、このケース体２６は上記基部１２側に開口部２６Ａを形成して一体に形成される。
【００１２】
即ち、このケース体２６は略直方体とされており、この直方体の一番広い面積の面を側面側に配置し、狭い面積の方の面に開口部２６Ａを設けている。そして、上記開口部２６Ａの反対側には上記ケーブル内筒２０，２１を通し、かつケース体２６を本体フレーム１６に固定するための取付け孔２７，２８が形成される。なお、このケース体２６の固定は、上記取付けリング２２，２３の雄ネジ部ＮＡ  に螺合する雌ネジ部ＮＢ  を有する固定リング２９，３０で行われる。
【００１３】
図１及び図２において、上記基部１２の取付け面Ｓには、その外周に沿って環状に取付け溝３２が形成され、この取付け溝３２の内周壁には、図１（Ａ）に示されるようにＯリング３３を配置するためのＯリング溝３４が設けられる。このＯリング溝３４は、取付け面Ｓまで達するように段差状に形成される。そして、この取付け面Ｓには、上記Ｏリング溝３４に配置されるＯリング３３を押えるための金属製の押え板３５が取り付けられる。
【００１４】
即ち、上記基部１２の取付け面Ｓに、複数の合成樹脂製の棒状突起３６を一体に形成し、この棒状突起３６を押え板３５の固定孔３７に挿入して、熱カシメ処理する。そうすれば、図１（Ｂ）に示されるように、棒状突起３６が潰れてカシメ部３８となり、このようなカシメ部３８を、図２に示されるように複数個設けることにより、押え板３５を取付け面Ｓに固定することができる。
【００１５】
一方、ケース体２６の開口部２６Ａの周囲には、上記取付け溝３２に嵌合する環状の嵌合突起３９が形成される。このような取付け溝３２と嵌合突起３９の嵌合によれば、このケース体２６に所定の内圧が与えられたとしても、ケース体２６が外側へ膨らむことはなく、もちろん外圧に対しても十分耐え得る強度が維持できる。従って、従来の図７で示したような蓋形式のものと比較すると、気密が良好に保たれることになる。
【００１６】
当該コネクタ装置は以上の構成からなり、上記の本体フレーム１６では、３点で支持しており、２面の開放空間を設けるようになっているので、各種部材の収納配置の作業が容易となる。当該例では、図４に示されるように、ライトガイド１４、信号線４１、回路基板４２等が配置される。そして、上記ケーブル内筒２０，２１が取り付けられた後に、ケース体２６を開口部２６Ａから基部１２へ向けて配置し、基部１２の取付け溝３２にケース体２６の嵌合突起３９を嵌合させることにより、ケース体２６が基部１２へ合体される。
【００１７】
そうした状態で、固定用リング２９，３０を取付け孔２７，２８を介して取付け用リング２２，２３に螺合固定すれば、ケース体２６が本体フレーム１６及び基部１２に固定される。その後、図４に示されるように、ケーブル外被４３をケーブル内筒２０，２１及び取付け用リング２２，２３へ被せることにより、組立てが終了する。
【００１８】
このような構造では、上述したように、基部１２の取付け面Ｓに対しケース体２６の開口部２６Ａを結合し、上記取付け溝３２に嵌合突起３９を嵌合して、基部１２とケース体２６を合体させることにより、内圧（検査時にＦ所定の内圧をかける）及び外圧に対しても強固な結合状態が得られ、気密状態が良好に維持される。
【００１９】
しかも、Ｏリング３３を押え板３５で押えるような形にしたので、気密の確保が確実となるという利点がある。即ち、上述した取付け溝と嵌合突起の嵌合による結合形式では、図５に示されるような構造を採ることが可能である。
【００２０】
この図５の例では、基部１２の取付け面Ｓの近傍にＯリング３３を配置するＯリング溝４５が設けられると共に、取付け溝４６が形成され、一方、ケース体２６には、上記取付け溝４６に嵌合する嵌合突起４７が形成される。しかし、この例では、上記Ｏリング溝４５を形成する関係から、取付け溝４６の外周壁ＷをＯリング３３の上側まで（覆うように）配置することができない。従って、この場合は、嵌合突起４７を取付け溝４６に嵌合させても、気密を十分にとることができない。
【００２１】
本発明では、上記押え板３５を用いてＯリング３３を押える構造として、Ｏリング溝３４を上記取付け面Ｓに達する位置に設けるようにしたので、Ｏリング溝３４を取付け面Ｓ側から形成することができ、図１に示されるように、外周壁ＷをＯリング３３の上側まで配置できる。従って、Ｏリング３３の気密作用が十分に発揮され、確実な気密状態が確保される。
【００２２】
また、略直方体における一番大きな面積が側面となるコネクタ装置において、当該例では小さな面積の面で基部１２とケース体２６が合体されるので、側面側に蓋を設ける図７の構造と比較すると、結合部の外周距離が短くなるので、気密がとり易くなる。
【００２３】
【発明の効果】
以上説明したように、第１請求項記載の発明によれば、環状の取付け溝が取付け面に形成された基部に対し、上記取付け溝に嵌合する環状の嵌合突起が形成されたケース体を合体させ、またこの基部の取付け溝の内面に、取付け面まで達するＯリング溝を設け、この取付け面には上記Ｏリング溝に配置されたＯリングを押えるための押え板を設けると共に、上記基部の環状取付け溝の外周壁は上記Ｏリングに対向する位置の高さとし、上記環状嵌合突起を上記環状取付け溝に嵌合させ、かつこの環状嵌合突起の内周面を上記Ｏリングに接触させることにより気密を確保するようにしたので、気密構造を容易かつ確実にとることができるという利点がある。
【００２４】
第２請求項記載の発明によれば、上記押え板を熱カシメにより取付け面に固定するようにしたので、押え板をネジ固定する場合等と比較すると、押え板、引いてはＯリングを確実に基部に取り付けることができ、気密状態の確保を確実にすることが可能となる。また、コストの低減ができ、装置をコンパクトにすることも可能となる。
【図面の簡単な説明】
【図１】本発明の実施形態に係る電子内視鏡用コネクタ装置における基部とケース体の合体部構造を示す断面図である。
【図２】図１のコネクタ装置の基部を取付け面側から見た図である。
【図３】実施形態例のコネクタ装置の全体を示す図である。
【図４】図３のコネクタ装置を組立てた状態を示す断面図である。
【図５】基部とケース体の合体部の構造の参考例を示す断面図である。
【図６】従来の電子内視鏡装置の全体構成を示す斜視図である。
【図７】図６のコネクタ装置のケースの構造を示す分解斜視図である。
【符号の説明】
１２  …  基部、
１６  …  本体フレーム、
２６  …  ケース体、
３２  …  取付け溝、
３９  …  嵌合突起、
３３  …  Ｏリング、
３４  …  Ｏリング溝、
３５  …  押え板、
３６  …  棒状突起、
３８  …  カシメ部、
Ｓ  …  取付け面。
【図１】
0003621762.tif 000002
【図２】
0003621762.tif 000003
【図３】
0003621762.tif 000004
【図４】
0003621762.tif 000005
【図５】
0003621762.tif 000006
【図６】
0003621762.tif 000007
【図７】
0003621762.tif 000008